(57)【要約】【課題】  ネイルシートを接着した後に爪が伸びた場合でも、ネイルシートを剥がすことなく、補間シートで補間して、体裁を保ち、ネイルシートを剥がす手間とネイルシート作成コストを低減すること。【解決手段】ＣＰＵ１０１は、指定されるデザインデータと爪形状データとに基づいて、ネイルシートを印刷するためのネイルシート画像データを作成し、該作成された前記ネイルシート画像データの作成履歴を保持しておき、所定の爪の伸び率と前記作成履歴にもとづいて、前回ネイルシート画像データを作成してから伸びた爪の長さを算出し、前記作成履歴により特定される前回ネイルシート画像データの作成に用いられたデザインデータと爪形状データと伸びた爪の長さに基づいて、爪の伸びた部分に接着して前回作成されたネイルシートを補間する補間シートを印刷するための補間シート画像データを作成する構成を特徴とする。【選択図】図２
2005185709.tif 000002
【特許請求の範囲】
【請求項１】
複数のデザインデータを記憶する第１の記憶手段と、
爪全体のサイズ及び形状を特定する爪形状データを記憶する第２の記憶手段と、
前記第１の記憶手段に記憶されるいずれかのデザインデータと前記第２の記憶手段に記憶される爪形状データとに基づいて、爪に接着して爪全体を覆うネイルシートを印刷するためのネイルシート画像データを作成する第１の作成手段と、
前記第１の作成手段がネイルシート画像データの作成に用いたデザインデータと爪形状データ及び作成日時を特定するための作成履歴を記憶する第３の記憶手段と、
時間に応じた爪の伸び率を記憶する第４の記憶手段と、
前記第４の記憶手段に記憶される爪の伸び率と前記第３の記憶手段に記憶される前記作成履歴に基づいて、前回ネイルシート画像データを作成してから伸びた爪の長さを算出する算出手段と、
前記第３の記憶手段に記憶される作成履歴により特定される前回ネイルシート画像データの作成に用いられたデザインデータと爪形状データと前記算出手段により算出される伸びた爪の長さに基づいて、爪の伸びた部分に接着して前回作成されたネイルシートを補間する補間シートを印刷するための補間シート画像データを作成する第２の作成手段と、
を有することを特徴とする情報処理装置。
【請求項２】
前記第３の記憶手段に記憶される作成履歴は、前記第１の作成手段により作成された前記ネイルシート画像データの作成時に前記デザインデータから画像抽出された画像抽出位置情報を含むものであり、
前記第２の作成手段は、前記第３の記憶手段に記憶される作成履歴により特定されるデザインデータとその画像抽出位置情報に基づいて、前回作成されたネイルシートに連続する画像の補間シートを印刷するための補間シート画像データを作成することを特徴とする請求項１記載の情報処理装置。
【請求項３】
前記第１の記憶手段に記憶されるいずれかのデザインデータと前記第２の記憶手段に記憶される爪形状データとに基づいて、爪の一部を覆う部分シートを印刷するための部分シート画像データを作成する第３の作成手段を有することを特徴とする請求項１又は２記載の情報処理装置。
【請求項４】
前記爪の一部は、爪の先端部分又は爪の先端部分を除く部分であることを特徴とする請求項３記載の情報処理装置。
【請求項５】
前記第３の作成手段により作成される部分シート画像データと、前記第３の記憶手段に記憶される作成履歴に基づいて特定される前記ネイルシート画像データとを合成した合成画像データを作成し、表示部に表示させる表示制御手段を有することを特徴とする請求項３又は４記載の情報処理装置。
【請求項６】
複数のデザインデータ，爪全体のサイズ及び形状を特定する爪形状データ，時間に応じた爪の伸び率を記憶する記憶手段を有する情報処理装置におけるネイルシート作成方法において、
前記記憶手段に記憶されるいずれかのデザインデータと爪形状データとに基づいて、爪に接着して爪全体を覆うネイルシートを印刷するためのネイルシート画像データを作成する第１の作成工程と、
前記第１の作成工程がネイルシート画像データの作成に用いたデザインデータと爪形状データ及び作成日時を特定するための作成履歴を前記記憶手段に格納する履歴保存工程と、
所定の爪の伸び率と前記記憶手段に記憶される前記作成履歴に基づいて、前回ネイルシート画像データを作成してから伸びた爪の長さを算出する算出工程と、
前記記憶手段に記憶される作成履歴により特定される前回ネイルシート画像データの作成に用いられたデザインデータと爪形状データと前記算出工程で算出される伸びた爪の長さに基づいて、爪の伸びた部分に接着して前回作成されたネイルシートを補間する補間シートを印刷するための補間シート画像データを作成する第２の作成工程と、
を有することを特徴とするネイルシート作成方法。
【請求項７】
請求項６に記載されたネイルシート作成方法を実行するためのプログラム。
【請求項８】
請求項６に記載されたネイルシート作成方法を実行するためのプログラムをコンピュータが読み取り可能に記憶した記録媒体。
【発明の詳細な説明】
【技術分野】
【０００１】
本発明は、爪に接着して爪を装飾するネイルシート（シール）を印刷するためのネイルシート画像データを作成する情報処理装置およびネイルシート作成方法およびプログラムおよび記録媒体に関するものである。
【背景技術】
【０００２】
従来より、好きなデザインを接着シートに印刷し、ネイルアートを楽しむものがあった。この種の文献として、下記特許文献１がある。
【０００３】
この特許文献１には、爪、指及び手等の形状及び寸法を、デジタルビデオカメラを用いて検出し、これらのデータをパーソナルコンピュータに取り込み、パーソナルコンピュータに予め入力されている多数の色及び絵柄の人工爪のサンプルの中から使用者が好みのものを選択し、このサンプルのデータと先ほどデジタルビデオカメラにより検出した使用者の爪、指及び手のデータを合成した画像を画像表示部に表示し、その後、最終的に選択されたサンプルの色及び絵柄を、市販の無色の人工爪または裏面に粘着部を有するシートに印刷するネイルプリンタが記載されている。
【特許文献１】特開２０００−３０１７７８号公報
【発明の開示】
【発明が解決しようとする課題】
【０００４】
しかしながら、上記従来の技術では、爪全体をひとつのデザイン（ネイルシート）としてネイルシート全体の作成を行うものであるため、爪が伸びてしまった場合やデザインを変えたくなった場合、爪に貼られているシートを全て剥がし、再度印刷し直したシートを貼り直さなければならなかった。
【０００５】
実際、爪の伸びは速く、この作業が頻繁に発生してしまい、せっかく作成したネイルシートを直ぐに貼りかえることが必要になり、非常に煩雑であるばかりか、コスト的にも高くなってしまうという問題点があった。
【０００６】
また、爪の先だけデザインを変えるフレンチネイルを施す場合、予めそのデザインでシート全体を作成しなければならなかった。
【０００７】
このため、シートを貼った爪を後からフレンチネイルにしたくなった場合、全体のデザインを変更し、貼り直さなければならなかった。通常、マニキュアを使用したネイルアートでは、後からフレンチネイルにしたい場合は、既に塗られているマニキュアの上から先端部分のみに施せば済む。このため、上記従来のネイルプリンタを用いた場合、貼りかえの手間がかかるばかりでなく、コスト的にも高くなってしまうという問題点があった。
【０００８】
このように、従来の技術では、ネイルアートを自由に楽しむには、不便且つコスト高であり現実的ではなかった。
【０００９】
本発明は、上記の問題点を解決するためになされたもので、本発明の目的は、指示されたデザインデータと爪形状データとに基づいて、爪に接着して爪全体を覆うネイルシートを印刷するためのネイルシート画像データを作成し、該作成された前記ネイルシート画像データの作成履歴（デザイン，爪形状データ，作成日時）を記憶しておき、所定の爪の伸び率と前記作成履歴に基づいて、前回ネイルシート画像データを作成してから伸びた爪の長さを算出し、前記作成履歴により特定される前回ネイルシート画像データの作成に用いられたデザインデータと爪形状データと伸びた爪の長さに基づいて、爪の伸びた部分に接着して前回作成されたネイルシートを補間する補間シートを印刷するための補間シート画像データを作成することにより、ネイルシートを接着した後に爪が伸びた場合でも、ネイルシートを剥がすことなく、補間シートで補間して、体裁を保つことができるとともに、ネイルシートを剥がす手間とネイルシート作成コストを低減することができるネイルシート印刷環境を構築することができる情報処理装置およびネイルシート作成方法およびプログラムおよび記録媒体を提供することである。
【課題を解決するための手段】
【００１０】
本発明の第１の発明は、複数のデザインデータを記憶する第１の記憶手段（図３に示すデザインＤＢ３００）と、爪全体のサイズ及び形状を特定する爪形状データを記憶する第２の記憶手段（図５に示す爪形状ＤＢ５００）と、前記第１の記憶手段に記憶されるいずれかのデザインデータと前記第２の記憶手段に記憶される爪形状データとに基づいて、爪に接着して爪全体を覆うネイルシートを印刷するためのネイルシート画像データを作成する第１の作成手段（図２に示すＣＰＵ１０１の処理，図８のステップＳ１１１）と、前記第１の作成手段がネイルシート画像データの作成に用いたデザインデータと爪形状データ及び作成日時を特定するための作成履歴を記憶する第３の記憶手段（図４に示す作成情報ＤＢ４００，図５に示す爪形状ＤＢ５００）と、時間に応じた爪の伸び率を記憶する第４の記憶手段（図２に示すＨＤ１０５）と、前記第４の記憶手段に記憶される爪の伸び率と前記第３の記憶手段に記憶される前記作成履歴に基づいて、前回ネイルシート画像データを作成してから伸びた爪の長さを算出する算出手段（図２に示すＣＰＵ１０１の処理，図９のステップＳ２０４）と、前記第３の記憶手段に記憶される作成履歴により特定される前回ネイルシート画像データの作成に用いられたデザインデータと爪形状データと前記算出手段により算出される伸びた爪の長さに基づいて、爪の伸びた部分に接着して前回作成されたネイルシートを補間する補間シートを印刷するための補間シート画像データを作成する第２の作成手段（図２に示すＣＰＵ１０１の処理，図９のステップＳ２１２，Ｓ２１３）とを有することを特徴とする。
【００１１】
本発明の第２の発明は、前記第３の記憶手段に記憶される作成履歴は、前記第１の作成手段により作成された前記ネイルシート画像データの作成時に前記デザインデータから画像抽出された画像抽出位置情報を含むものであり、前記第２の作成手段は、前記第３の記憶手段に記憶される作成履歴により特定されるデザインデータとその画像抽出位置情報に基づいて、前回作成されたネイルシートに連続する画像の補間シートを印刷するための補間シート画像データを作成することを特徴とする。
【００１２】
本発明の第３の発明は、前記第１の記憶手段に記憶されるいずれかのデザインデータと前記第２の記憶手段に記憶される爪形状データとに基づいて、爪の一部を覆う部分シートを印刷するための部分シート画像データを作成する第３の作成手段（図２に示すＣＰＵ１０１の処理，図１５のステップＳ３０５，Ｓ３１０）を有することを特徴とする。
【００１３】
本発明の第４の発明は、前記爪の一部は、爪の先端部分又は爪の先端部分を除く部分であることを特徴とする。
【００１４】
本発明の第５の発明は、前記第３の作成手段により作成される部分シート画像データと、前記第３の記憶手段に記憶される作成履歴に基づいて特定される前記ネイルシート画像データとを合成した合成画像データを作成し、表示部に表示させる表示制御手段（図２に示すＣＰＵ１０１の処理，図１５のステップＳ３０６）を有することを特徴とする。
【００１５】
本発明の第６の発明は、複数のデザインデータ，爪全体のサイズ及び形状を特定する爪形状データ，時間に応じた爪の伸び率を記憶する記憶手段を有する情報処理装置におけるネイルシート作成方法において、前記記憶手段に記憶されるいずれかのデザインデータと爪形状データとに基づいて、爪に接着して爪全体を覆うネイルシートを印刷するためのネイルシート画像データを作成する第１の作成工程（図８のステップＳ１１１）と、前記第１の作成工程がネイルシート画像データの作成に用いたデザインデータと爪形状データ及び作成日時を特定するための作成履歴を前記記憶手段に格納する履歴保存工程（図８のステップＳ１１１）と、所定の爪の伸び率と前記記憶手段に記憶される前記作成履歴に基づいて、前回ネイルシート画像データを作成してから伸びた爪の長さを算出する算出工程（図９のステップＳ２０４）と、前記記憶手段に記憶される作成履歴により特定される前回ネイルシート画像データの作成に用いられたデザインデータと爪形状データと前記算出工程で算出される伸びた爪の長さに基づいて、爪の伸びた部分に接着して前回作成されたネイルシートを補間する補間シートを印刷するための補間シート画像データを作成する第２の作成工程（図９のステップＳ２１２，Ｓ２１３）とを有することを特徴とする。
【００１６】
本発明の第７の発明は、第６の発明に記載されたネイルシート作成方法を実行するためのプログラムであることを特徴とする。
【００１７】
本発明の第８の発明は、第６の発明に記載されたネイルシート作成方法を実行するためのプログラムを記録媒体にコンピュータが読み取り可能に記憶させたことを特徴とする。
【発明の効果】
【００１８】
本発明によれば、指示されたデザインデータと爪形状データとに基づいて、爪に接着して爪全体を覆うネイルシートを印刷するためのネイルシート画像データを作成し、該作成された前記ネイルシート画像データの作成履歴（デザイン，爪形状データ，作成日時）を記憶しておき、所定の爪の伸び率と前記作成履歴に基づいて、前回ネイルシート画像データを作成してから伸びた爪の長さを算出し、前記作成履歴により特定される前回ネイルシート画像データの作成に用いられたデザインデータと爪形状データと伸びた爪の長さに基づいて、爪の伸びた部分に接着して前回作成されたネイルシートを補間する補間シートを印刷するための補間シート画像データを作成するので、爪が伸びた部分の修復をしたい場合、伸びた長さを計算し補間シートを作成できるため、ネイルシートを接着した後に爪が伸びた場合でも、ネイルシートを剥がすことなく、補間シートで補間して、体裁を保つことができるとともに、ネイルシートを剥がす手間とネイルシート作成コストを低減することができる。
【００１９】
また、補間シート作成の際に、サイズを測り直す必要がなく、容易に補間シートを作成することができる。
【００２０】
さらに、フレンチネイルを施したい場合、前回作成した爪形状データを利用して、輪郭を測り直すことなく、用紙に作成することができ、前回作成したデザインのデータを利用して、合成プレビューを表示して、作成するフレンチネイルシートの接着後にイメージを容易に把握することができる。
【００２１】
従って、爪の伸びた部分またはフレンチネイル部分のみのシートを作成することで、印刷時間の短縮およびシートとインクのコストの削減、さらに、既に貼ってあるシートをはがす手間を省くことができる等の効果を奏する。
【発明を実施するための最良の形態】
【００２２】
図１は、本発明の一実施形態を示す情報処理装置を適用可能なネイルアートシート印刷システムの構成を示す図である。
【００２３】
図１において、１００はパーソナルコンピュータ（ＰＣ）等の情報処理装置（以下ＰＣと称する）であり、デジタルカメラ１２０，プリンタ１１０，インターネット１３０を介してＷＷＷサーバ１４０と接続されている。
【００２４】
プリンタ１１０は、ＰＣ１００から送信される印刷データに基づく画像を所定の粘着シート（専用シート）に印刷処理することができる。
【００２５】
図２は、図１に示したＰＣ１００の構成を説明するブロック図であり、一般的なデータ処理装置としてのハードウエアを備えているものとする。なお、図１と同一のものには同一の符号を付してある。
【００２６】
図２において、１０１はＣＰＵで、図示しないＲＯＭに記憶されるＢＩＯＳ等によりハードウエアが認識されて、メモリ１０３にハードディスク装置（ＨＤ）１０５からロードされるシステムソフトウェア（オペレーティングシステム（ＯＳ）を含む）によりＰＣ１００全体を統括的に制御する。また、ＣＰＵ１０１は、ＨＤに記憶される後述するフローチャートに対応するプログラムをメモリ１０３にロードし実行する。
【００２７】
１０２はグラフィックスメモリ制御部で、ディスプレイ１０６への情報表示制御を行う。１０４はＩ／Ｏ制御部で、キーボード１０７，マウス１０８，プリンタ１１０，図１に示したデジタルカメラ１２０等の入出力を制御する。
【００２８】
ハードディスク装置（ＨＤ）１０５上には、後述する図３に示すデザインＤＢ３００，後述する図４に示す作成情報ＤＢ４００，後述する図５に示す爪形状ＤＢ５００の各データや後述するフローチャートに対応するプログラムが記憶されている。
【００２９】
１０９はモデムで、インターネット１３０等のネットワークと接続するネットワークケーブルが接続され、所定のプロトコルでＷＷＷサーバ１４０との通信処理を制御している。
【００３０】
図３は、図２に示したデザインＤＢ３００の構成を示す模式図である。
【００３１】
図３に示すように、デザインＤＢ３００に登録されるデータは、ネイルアートのデザインデータ（画像データ）であるデザイン３０１，デザイン名３０２で構成される。このデザインＤＢ３００には、予め登録されている既存デザインのほかに、ユーザのオリジナルデザインも登録可能である。
【００３２】
なお、デザイン３０１は、平均的な爪の長さの数倍の長さまでの画像データであり、後述する補間シートを作成する場合に、前回作成したシートに続く絵柄で補間シートを作成可能となっている。
【００３３】
図４は、図２に示した作成情報ＤＢ４００の構成を示す模式図である。
【００３４】
図４に示すように、作成情報ＤＢ４００に登録されるデータは、デザインＤＢ３００のデザイン名３０２を示すデザイン４０１，作成日時４０２，作成者名４０３，最終印刷日４０４，印刷回数４０５，抽出位置４０６で構成され、図示していないがユーザ毎に管理されている。なお、印刷回数４０５が、「１回」の場合には、シート全体が作成されたことを示し、「２回」以上の場合には、補間シートが作成されたことを示す。また、抽出位置４０６は、後述する補間シートを作成する場合に、前回作成したシートに続く絵柄で補間シートを作成するために用いるものであり、本実施形態では、前回シート作成時に用いた（抽出した）デザイン画像の終了位置（デザインの先端から計測した位置）等を示すデータである（次回補間シートを作成する際の抽出位置を特定するためのデータであればどのようなデータであってもよい）。
【００３５】
図５は、図２に示した爪形状ＤＢ５００の構成を示す模式図である。
【００３６】
図５に示すように、爪形状ＤＢ５００に登録されるデータは、計測日時５０１，どの指の爪のデータであるかを示す指５０２，爪の幅を示すデータである幅５０３，爪の長さを示すデータである長さ５０４，爪の付け根のラインを示すデータ（例えばスプラインデータ）である付け根のライン５０５，爪の先端のラインを示すデータ（例えばスプラインデータ）である先端のライン５０６，爪のカーブを示すデータ（例えばスプラインデータ）であるカーブ５０７で構成され、図示していないがユーザ毎に管理されている。
【００３７】
以下、図６，図７を参照して、本発明のネイルアートシート印刷システムにおいて作成可能な補間シート，フレンチネイルシートについて説明する。
【００３８】
図６は、本発明のネイルアートシート印刷システムにおいて作成可能な補間シートの一例を示す模式図である。
【００３９】
図６に示すように、補間シートとは、ネイルシートを爪に接着した後、爪が伸びてしまった場合に、該爪の伸びた部分に接着して前回作成されたネイルシートを補間するものである。これにより、爪が伸びた後も、前回接着したシートを剥がすことなく、補間シートを伸びた部分に接着して、体裁を保つことができる。
【００４０】
図７は、本発明のネイルアートシート印刷システムにおいて作成可能なフレンチネイルシートの一例を示す模式図である。
【００４１】
図７に示すように、フレンチネイルシートとは、ネイルシートを爪に接着した後、該爪の先端部分に接着してデザインを変化させるものである。これにより、接着したシートを剥がすことなく容易にデザインを変化させることが可能となる。
【００４２】
以下、図８〜図１６を参照して、本発明のネイルアートシート印刷システムにおける制御処理動作について説明する。
【００４３】
図８は、本発明のネイルアートシート印刷システムにおける第１の制御処理手順の一例を示すフローチャートであり、図２に示したＣＰＵ１０１がＨＤ１０５又はその他の記録媒体に格納されたプログラムをメモリ１０３にロードして実行処理することにより実行される。なお、Ｓ１０１〜Ｓ１１７は各ステップを示す。
【００４４】
まず、フローチャートの処理が起動されると、ＣＰＵ１０１は、図示しない画面をディスプレイ１０６に表示させ、ユーザに、ネイルシート作成，補間シート作成，フレンチネイルシート作成の有無を入力させる。
【００４５】
すると、ステップＳ１０１において、ＣＰＵ１０１は、ネイルシート作成が指示されたか否かを判定し、ネイルシート作成が指示されたと判定した場合には、ステップＳ１０２において、初回作成か否かを判定する。なお、この判定は、爪形状ＤＢ５００にデータが登録されているか否かにより行うものとする。
【００４６】
ステップＳ１０２で、ＣＰＵ１０１が、初回作成であると判定した場合には、ステップＳ１０３において爪形状データを作成し、ステップＳ１０４において、ステップＳ１０３で作成した爪形状データをメモリ１０３内のワークエリアに保存するとともに、爪形状ＤＢ５００に登録し、ステップＳ１０６に進む。
【００４７】
なお、ステップＳ１０３の爪形状データの作成は、どのような方法であってもよい。例えば、図１に示したデジタルカメラ１２０により専用のシート（グラフ紙等）の上で爪を上方向，横方向，前方向から撮像し、該撮像データを取り込み、ＣＰＵ１０１が、該撮像結果に基づいて爪形状ＤＢ５００に対応するデータを生成するものであってもよい。また、手作業により爪の幅，長さを定規で計測し、さらに付け根のライン，先端のライン，カーブ等を所定のテンプレートの形状から選択し、各計測結果，選択結果をＣＰＵ１０１によりディスプレイ１０６に表示される所定の入力画面から入力するような方法であってもよい。さらに、３次元スキャナ等を用いて計測したデータを取り込んでもよい。このように、図５の爪形状ＤＤ５００に登録するためのデータを取得できる方法であれば、従来より行われている各種計測方法を含めた如何なる方法を用いてもよい。
【００４８】
一方、ステップＳ１０２で、ＣＰＵ１０１が、初回作成でないと判定した場合には、ステップＳ１０５において、爪形状データを爪形状ＤＢ５００から取得してメモリ１０３内のワークエリアに格納し、ステップＳ１０６に進む。
【００４９】
次に、ＣＰＵ１０１は、図示しない選択画面をディスプレイ１０６に表示させ、新規デザインの作成又は既存デザインの選択を指示させる。そして、ステップＳ１０６において、ＣＰＵ１０１は、新規デザインの作成が指示されたと判定した場合には、ステップＳ１０７に進み、新規デザインの作成処理を実行し、ステップＳ１０８において、ステップＳ１０７で、作成したデザインをメモリ１０３内のワークエリアに保存するとともに、デザインＤＢ３００に登録し、ステップＳ１１１に進む。なお、ステップＳ１０７の新規デザインの作成処理は、デザインＤＢ３００に登録可能なデータを作成できれば、どのような方法を用いた処理であってもよい。例えば、既存のペイント系ソフウェアにより作成された画像データを作成する処理であっても、ＷＷＷサーバ１４０からデータを取得する処理であってもよい。
【００５０】
一方、ステップＳ１０６で、ＣＰＵ１０１は、新規デザインの作成が指示されなかった（デザインＤＢ３００内の既存デザインの選択が指示された）と判定した場合には、ステップＳ１１０において、デザインＤＢ３００内の既存デザインを選択し、該選択したデザインデータをメモリ１０３内のワークエリアに保存し、ステップＳ１１１に進む。
【００５１】
そして、ステップＳ１１１において、ＣＰＵ１０１は、爪形状データ，デザインデータに基づいて、ネイルシートの印刷データを作成し、該印刷データをプリンタ１１０に出力して所定の粘着シート（専用シート）上に印刷処理させ、最後に作成情報を作成情報ＤＢ４００に登録して、処理を終了する。
【００５２】
一方、ステップＳ１０１で、ＣＰＵ１０１は、ネイルシート作成が上述した図示しない選択画面で指示されなかったと判定した場合には、ステップＳ１１２に進み、ネイルシートを作成したことがあるか否かを判定する。この判定は、作成情報ＤＢ４００に作成情報が登録されているか否かで判定するものとする。
【００５３】
ステップＳ１１２で、ネイルシートを作成したことがあると判定した場合には、ステップＳ１１３において、補間シートの作成が上記選択画面で指示されか否かを判定し、補間シート作成が指示されたと判定した場合には、ステップＳ１１４に進み、補間シート作成処理（詳細は図９に示す）を行い、処理を終了する。
【００５４】
一方、ステップＳ１１３で、ＣＰＵ１０１が、補間シートの作成が上記選択画面で指示されなかったと判定した場合には、ステップＳ１１５に進み、フレンチネイルシート作成が上記選択画面で指示されか否かを判定し、フレンチネイルシート作成が指示されたと判定した場合には、ステップＳ１１６に進み、フレンチネイルシート作成処理（詳細は図１５に示す）を行い、処理を終了する。
【００５５】
一方、ＣＰＵ１０１が、ステップＳ１１２で、ネイルシートを作成したことがないと判定した場合、又は、ステップＳ１１５で、フレンチネイルシート作成が指示されなかったと判定した場合には、上記選択画面で終了が指示されたか否かを判定し、終了が指示されていないと判定した場合には、ステップＳ１０１に戻り、一方、終了が指示されたと判定した場合には、処理を終了する。
【００５６】
以下、図９〜図１４を参照して、図８のステップＳ１１４に示した補間シート作成処理について説明する。
【００５７】
図９は、本発明のネイルアートシート印刷システムにおける第２の制御処理手順の一例を示すフローチャートであり、図８のステップＳ１１４に示した補間シート作成処理に対応する。また、このフローチャートの処理は、図２に示したＣＰＵ１０１がＨＤ１０５又はその他の記録媒体に格納されたプログラムをメモリ１０３にロードして実行処理することにより実行される。なお、Ｓ２０１〜Ｓ２１３は各ステップを示す。
【００５８】
また、図１０〜図１４は、本発明のネイルアートシート印刷システムにおける表示画面の一例を示す模式図である。
【００５９】
まず、ステップＳ２０１において、ＣＰＵ１０１は、作成情報ＤＢ４００，爪デザインＤＢ３００，形状ＤＢ５００から、前回のネイルアートシートの作成情報（爪の形状、作成したデザイン、作成日）を取得し、メモリ１０３内に格納するとともに、図１０に示すように、ディスプレイ１０６に表示させる。
【００６０】
次に、ステップＳ２０２において、前回の作成日からの経過日数を計算し、メモリ１０３に格納する。
【００６１】
次に、ステップＳ２０３において、ＣＰＵ１０１が、補間シート作成が初回か否かを判定する。この判定は、作成情報ＤＢ４００内の前回の作成情報の印刷回数４０５が「１回」の場合には、補間シート作成が初回と判定し、「２回」以上の場合には、補間シート作成が初回でないと判定する。
【００６２】
ステップＳ２０３で、ＣＰＵ１０１が、補間シート作成が初回と判定した場合には、ステップＳ２０４において、爪の伸び率の一般平均値を用いて、伸びた長さを計算し、メモリ１０３内に格納し、ステップＳ２０４に進む。
【００６３】
一方、ステップＳ２０３で、ＣＰＵ１０１が、補間シート作成が初回でないと判定した場合には、ステップＳ２０５において、前回の補間シート作成時に用いた爪の伸び率（ハードディスク１０５内に格納されている）を用いて、伸びた長さを計算し、メモリ１０３内に格納し、ステップＳ２０６に進む。
【００６４】
次に、ステップＳ２０６において、ステップＳ２０４又はＳ２０５で計算した爪の伸びた長さを図１１に示すようにディスプレイ１０６に表示させ、ユーザに確認させ、変更するか否かを選択させる。これにより、ユーザは、画面に表示される爪の伸びた長さと、ユーザの実際の爪の伸びた長さ（定規等で計る）とを比較して確認し、異なる場合には変更することができる。
【００６５】
そして、ステップＳ２０７において、ＣＰＵ１０１が、爪の伸びた長さを変更する指示があったか否かを判定し、爪の伸びた長さを変更する指示があったと判定した場合には、ステップＳ２０８において、ＣＰＵ１０１が、図１２，図１３に示す画面をディスプレイ１０６に表示させ、ユーザに爪の伸びた長さを入力させる。これにより、ユーザはキーボード１０７を用いて、爪の伸びた長さを入力する。なお、ＣＰＵ１０１は、図１２の画面の詳細設定ボタン１００１がマウス１０８で指示されると図１３に示す画面をディスプレイ１０６に表示させ、指毎に爪の伸びた長さを入力させる。
【００６６】
次に、ステップＳ２０９において、ＣＰＵ２１０は、図１２，図１３に示す画面から入力されたデータを、爪の伸びた長さとしてメモリ１０３内に格納し、ステップＳ２１０において、前回シート作成日から現在までの日数を用いて、爪の伸び率を計算し、ＨＤ１０５に格納し、ステップＳ２１２に進む。
【００６７】
一方、ステップＳ２０７で、ＣＰＵ１０１が、爪の伸びた長さを変更する指示がなかった（ＯＫボタンが指示された）と判定した場合には、ステップＳ２１１において、ＣＰＵ１０１は、ステップＳ２０４又はＳ２０５で計算した爪の伸びた長さを、爪の伸びた長さとし、ステップＳ２１２に進む。
【００６８】
次に、ステップＳ２１２において、ＣＰＵ１０１は、ステップＳ２０１で取得した爪の形状データと爪の伸びた長さから、生え際のラインに合った補間シートの形状を計算し、作成情報ＤＢ４００の抽出位置４０６に基づいて前回作成したデザインに連続したデザイン画像を抽出して、補間シートのイメージを作成し、図１４に示すように、ディスプレイ１０６に表示させ、ユーザに確認させる。
【００６９】
そして、ユーザの確認指示を検知したら、ステップＳ２１３において、ＣＰＵ１０１は、ステップＳ２１２で作成した補間シートのイメージに基づく印刷データを作成し、該印刷データをプリンタ１１０に出力して所定の粘着シート（専用シート）上に印刷処理させ、最後に作成情報を作成情報ＤＢ４００に登録して、処理を終了する。
【００７０】
以下、図１５〜図１６を参照して、図８のステップＳ１１６に示したフレンチネイルシート作成処理について説明する。
【００７１】
図１５は、本発明のネイルアートシート印刷システムにおける第３の制御処理手順の一例を示すフローチャートであり、図８のステップＳ１１６に示したフレンチネイルシート作成処理に対応する。また、このフローチャートの処理は、図２に示したＣＰＵ１０１がＨＤ１０５又はその他の記録媒体に格納されたプログラムをメモリ１０３にロードして実行処理することにより実行される。なお、Ｓ３０１〜Ｓ３１０は各ステップを示す。
【００７２】
また、図１６は、本発明のネイルアートシート印刷システムにおける表示画面の一例を示す模式図である。
【００７３】
まず、ステップＳ３０１において、ＣＰＵ１０１は、作成情報ＤＢ４００，爪デザインＤＢ３００，形状ＤＢ５００から、前回のネイルアートシートの作成情報（爪の形状、作成したデザイン、作成日）を取得し、メモリ１０３内に格納する。
【００７４】
次に、ＣＰＵ１０１は、図示しない選択画面をディスプレイ１０６に表示させ、新規デザインの作成又は既存デザインの選択を指示させる。そして、ステップＳ３０２において、ＣＰＵ１０１は、新規デザインの作成が指示されたと判定した場合には、ステップＳ３０３に進み、新規デザインの作成処理を実行して作成したデザインをメモリ１０３内のワークエリアに保存し、ステップＳ３０５に進む。なお、ステップＳ３０３の新規デザインの作成処理は、デザインＤＢ３００に登録可能なデータを作成できれば、どのような方法を用いた処理であってもよい。例えば、既存のペイント系ソフウェア等により作成された画像データを指定する処理であっても、ＷＷＷサーバ１４０からデータを取得する処理であってもよい。
【００７５】
一方、ステップＳ３０２で、ＣＰＵ１０１が、新規デザインの作成が指示されなかった（デザインＤＢ３００内の既存デザインの選択が指示された）と判定した場合には、ステップＳ３０４において、デザインＤＢ３００内の既存デザインを選択し、該選択したデザインデータをメモリ１０３内のワークエリアに保存し、ステップＳ３０５に進む。
【００７６】
次に、ステップＳ３０５において、ステップＳ３０３で作成したデザイン又はステップＳ３０４で選択したデザインとステップＳ２０１で取得した爪の形状データに基づいてフレンチネイルシートのイメージを作成しメモリ１０３内に格納するとともに、該フレンチネイルシートのイメージと前回作成したネイルアートのイメージを重ねた（合成した）イメージを作成し、それぞれプレビュー，合成プレビューとして図１６に示すようにディスプレイ１０６に表示させ、このデザインでＯＫであるか、変更するかをユーザに確認させる。
【００７７】
そして、ステップＳ３０６において、ＣＰＵ１０１は、このデザインでＯＫである旨の指示があったか否かを判定し、このデザインでＯＫである旨の指示がなかった（変更の指示があった）と判定した場合には、ステップＳ３０７において、デザインを編集し、ステップＳ３０５に戻る。
【００７８】
一方、ステップＳ３０６で、ＣＰＵ１０１が、ユーザより、このデザインでＯＫである旨の指示があったと判定した場合には、図示しない確認画面をディスプレイ１０６に表示して、作成したデザインを保存するか否かユーザに確認する。
【００７９】
そして、ステップＳ３０８において、作成したデザインを保存する旨が指示されたか否かを判定し、作成したデザインを保存する旨が指示されたと判定した場合には、ステップＳ３０９において、デザインＤＢ３００に登録し、ステップＳ３１０に進む。
【００８０】
一方、ステップＳ３０８で、作成したデザインを保存する旨が指示されなかったと判定した場合には、そのままステップＳ３１０に進む。
【００８１】
そして、ステップＳ３１０において、ステップＳ３０５で作成したフレンチネイルシートのイメージに基づく印刷データを作成し、該印刷データをプリンタ１１０に出力して所定の粘着シート（専用シート）上に印刷処理させ、処理を終了する。
【００８２】
なお、図１５では、フレンチネイルシート作成処理について示したが、フレンチネイルシート以外の部分シート（爪の一部を覆うシート）を作成するように構成してもよい。例えば、前回作成したときの爪形状データを用いて、マニキュアでフレンチネイルなどのデザインを施すときに用いる保護シート（フレンチネイル部分以外の爪をマスクするシート）を作成するように構成してもよい。この場合、ステップＳ３０５で、フレンチネイルシートのイメージの代わりに、フレンチネイル（爪の先端）以外の部分のイメージを作成するようにする。また、この場合デザイン等に関する処理は省略することができる。また、この部分シートは、１枚の爪の右半分又は左半分の領域を覆うものであってもよい。
【００８３】
また、デザインＤＢ３００に格納される各種デザイン情報をインターネット１３０を介して、ＷＷＷサーバ１４０に登録することにより、作成したデザインをＷｅｂ上に公開することができる。また、ＷＷＷサーバ１４０に登録されている他の人が作成したデザインを閲覧、ダウンロードすることができる。
【００８４】
さらに、本実施形態では、ＰＣ１００により各フローチャートの処理を行い、ネイルアートシートを作成する構成について示したが、サーバ１４０により上述した各フローチャートの処理を行い、作成されたネイルシートのイメージデータをＰＣ１００にダウンロードしてプリンタ１１０で印刷させるように構成してもよい。
【００８５】
以上示したように、本実施形態のネイルアート印刷システムは、爪が伸びた部分の修復をしたい場合、伸びた長さを計算するため、ユーザは、サイズを測り直す必要がない。これにより、ネイルアートシート作成の操作が簡易で、かつ早くなる。
【００８６】
また、フレンチネイルを施したい場合、前回作成した爪形状データを利用することで、輪郭を測り直す必要がない。また、前回作成したデザインのデータを利用できるため、合成プレビューを表示することでイメージをつかみながら作成できる。これにより、ネイルアートシート作成の操作が簡易で、かつ早くなる。
【００８７】
さらに、伸びた部分（補間シート）またはフレンチネイル部分のみのシートを作成するため、印刷時間の短縮およびシートとインクのコストが削減できる。また、すでに貼ってあるシートをはがす手間が減る。
【００８８】
従って、シートを剥がす煩雑な手間とシート印刷コストを低減した、実用的なネイルアートシート印刷システムを構築することができる。
【００８９】
なお、上記実施形態内で示した各変形例を組み合わせた構成も本発明に含まれる。
【００９０】
図３〜図５の各種データの構成及びその内容，図１０〜図１４，図１６の各画面は、これに限定されるものではなく、用途や目的に応じて、様々な構成や内容で構成されることは言うまでもない。
【００９１】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００９２】
以下、図１７に示すメモリマップを参照して本発明に係るネイルアートシート印刷システムの情報処理装置で読み取り可能なデータ処理プログラムの構成について説明する。
【００９３】
図１７は、本発明に係るネイルアートシート印刷システムの情報処理装置で読み取り（読み出し）可能な各種データ処理プログラムを格納する記録媒体（記憶媒体）のメモリマップを説明する図である。
【００９４】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００９５】
さらに、各種プログラムに従属するデータも上記ディレクトリに管理されている。また、インストールするプログラムやデータが圧縮されている場合に、解凍するプログラム等も記憶される場合もある。
【００９６】
本実施形態における図８，図９，図１５に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【００９７】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【００９８】
この場合、記録媒体から読み出されたプログラムコード自体が本発明の新規な機能を実現することになり、そのプログラムコードを記憶した記録媒体は本発明を構成することになる。
【００９９】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１００】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０１】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【０１０３】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【産業上の利用可能性】
【０１０４】
前回作成したときの爪形状データを用いて、フレンチネイルシートの代わりに、フレンチネイル（爪の先端）以外の部分（爪の先端以外の部分，爪の右半分，左半分等）を覆うためのシートのイメージを作成する用途にも利用可能である。例えば、マニキュアでフレンチネイルなどのデザインを施すときに用いる保護シート（フレンチネイル部分以外の爪をマスクするシート）を作成することも利用可能である。
【図面の簡単な説明】
【０１０５】
【図１】本発明の一実施形態を示す情報処理装置を適用可能なネイルアートシート印刷システムの構成を示す図である。
【図２】図１に示したＰＣの構成を説明するブロック図である。
【図３】図２に示したデザインＤＢの構成を示す模式図である。
【図４】図２に示した作成情報ＤＢの構成を示す模式図である。
【図５】図２に示した爪形状ＤＢの構成を示す模式図である。
【図６】本発明のネイルアートシート印刷システムにおいて作成可能な補間シートの一例を示す模式図である。
【図７】本発明のネイルアートシート印刷システムにおいて作成可能なフレンチネイルシートの一例を示す模式図である。
【図８】本発明のネイルアートシート印刷システムにおける第１の制御処理手順の一例を示すフローチャートである。
【図９】本発明のネイルアートシート印刷システムにおける第２の制御処理手順の一例を示すフローチャートである。
【図１０】本発明のネイルアートシート印刷システムにおける表示画面の一例を示す模式図である。
【図１１】本発明のネイルアートシート印刷システムにおける表示画面の一例を示す模式図である。
【図１２】本発明のネイルアートシート印刷システムにおける表示画面の一例を示す模式図である。
【図１３】本発明のネイルアートシート印刷システムにおける表示画面の一例を示す模式図である。
【図１４】本発明のネイルアートシート印刷システムにおける表示画面の一例を示す模式図である。
【図１５】本発明のネイルアートシート印刷システムにおける第３の制御処理手順の一例を示すフローチャートである。
【図１６】本発明のネイルアートシート印刷システムにおける表示画面の一例を示す模式図である。
【図１７】本発明に係るネイルアートシート印刷システムの情報処理装置で読み取り（読み出し）可能な各種データ処理プログラムを格納する記録媒体（記憶媒体）のメモリマップを説明する図である。
【符号の説明】
【０１０６】
１００  パーソナルコンピュータ（ＰＣ）
１１０  プリンタ
１２０  スキャナ
１３０  インターネット
１４０  ＷＷＷサーバ
１０１  ＣＰＵ
１０３  メモリ
１０５  ハードディスク（ＨＤ）
３００  デザインＤＢ
４００  作成情報ＤＢ
５００  爪形状ＤＢ
【図１】
2005185709.tif 000003
【図２】
2005185709.tif 000004
【図３】
2005185709.tif 000005
【図４】
2005185709.tif 000006
【図５】
2005185709.tif 000007
【図６】
2005185709.tif 000008
【図７】
2005185709.tif 000009
【図８】
2005185709.tif 000010
【図９】
2005185709.tif 000011
【図１０】
2005185709.tif 000012
【図１１】
2005185709.tif 000013
【図１２】
2005185709.tif 000014
【図１３】
2005185709.tif 000015
【図１４】
2005185709.tif 000016
【図１５】
2005185709.tif 000017
【図１６】
2005185709.tif 000018
【図１７】
2005185709.tif 000019